(57)【特許請求の範囲】
【請求項１】
ドアの開閉動作に連動して相対回転する一対のドアクローザ部品の一方と一対のセレーションを介して連結されて一体となる被固定部材（５）と、ドアの開度が所定角度に達したときに被固定部材（５）と他方のドアクローザ部品とのそれ以上の相対回転を阻止するストッパー機構とを備えたドアクローザのストップ装置において、両ドアクローザ部品の回転軸線上に設けられて一方のドアクローザ部品と一体とされた支軸（７）と、被固定部材（５）を軸線方向に移動させてセレーションの噛み合いとその解除とを切り替えるべく支軸（７）に軸線方向に移動可能に支持された手動操作可能な操作部材（１２）とを備え、支軸（７）には径方向に突出した係合突起（１９）が設けられ、操作部材（１２）には、係合突起（１９）に対して支軸（７）の径方向に凹凸係合可能な係合部（２４）が軸線方向両端面のうち少なくとも軸線方向一端面に開口するように設けられ、操作部材（１２）を被固定部材（５）側に移動させてセレーションを噛み合わせると、係合突起（１９）が係合部（２４）内から軸線方向一端側に抜け出て操作部材（１２）の軸線方向一端面の外方に位置することにより操作部材（１２）は支軸（７）に対して回転可能となり、該セレーションの噛み合い状態から操作部材（１２）を回転させると、係合突起（１９）が操作部材（１２）の軸線方向一端面（２１）に当接して操作部材（１２）の軸線方向一端側への移動を阻止することによりセレーションの噛み合い状態が維持されるよう構成されていることを特徴とするドアクローザのストップ装置。
【請求項２】
セレーションの噛み合い状態を維持すべく操作部材（１２）を所定の位置まで回転操作する際に、係合突起（１９）が外部から目視可能である請求項１記載のドアクローザのストップ装置。
【請求項３】
係合部（２４）は操作部材（１２）を軸線方向に貫通していて操作部材（１２）の軸線方向両端面にそれぞれ開口している請求項１記載のドアクローザのストップ装置。
【請求項４】
操作部材（１２）の軸線方向一端面には軸線方向に突出するストッパ部（２６）が形成され、該ストッパ部（２６）により操作部材（１２）は一方向にのみ回転可能である請求項１記載のドアクローザのストップ装置。
【請求項５】
操作部材（１２）には一端固定他端自由の片持ち梁構造とされて軸線方向に弾性変形可能な弾性片（３３）が形成され、操作部材（１２）が回転する際に係合突起（１９）が弾性片（３３）を押圧して弾性変形させる請求項１記載のドアクローザのストップ装置。
【発明の詳細な説明】
【０００１】
【発明の属する技術分野】
本発明は、ドアを所望の開度で停止させるためのドアクローザのストップ装置に関する。
【０００２】
【従来の技術】
この種のストップ装置としては、特開平１１−３０３５０１号公報所載のものが公知である。
即ち、ドアの枠体に固定されるブラケットは、リンク及びアームを介して、ドアに固定されるドアクローザ本体に連結され、ドアの開閉動作に連動して相対回転するブラケットとリンクとの連結部分にストップ装置が設けられている。
【０００３】
具体的には、図１５の如く、ブラケット５１とリンク５２の回転軸線上に位置してブラケット５１と一体とされたセレーション軸５３の外周面と、セレーション軸５３に外装されたカム板５４の内周面とに各々セレーション５５，５６が設けられている。該カム板５４はセレーション５５，５６同士を噛み合わせることによりブラケット５１と軸線方向に連結される。そして、ドアの開度が所定角度に達するとリンク５２内に設けられたクリック体によってカム板５４とリンク５２との相対回転が阻止されてドアが所定の開放位置に保持される。この開放位置を変更する際には、カム板５４をセレーション軸５３に対して相対的に下方に移動させて一対のセレーション５５，５６の噛み合い状態を解除し、カム板５４をセレーション軸５３に対して回転軸線まわりに相対的に回転させて両者の相対角度位置を変更し、再度カム板５４を上方に移動させて一対のセレーション５５，５６を噛み合わせる。この一対のセレーション５５，５６の噛み合いとその解除の切り替え操作を容易にするために、カム板５４の下方には、カム板５４を上下に移動させるための筒状の制御体５７が設けられている。
【０００４】
即ち、該制御体５７はセレーション軸５３に対して上下に移動可能に設けられており、該制御体５７を手で上下に移動させることにより、カム板５４を相対的に上下に移動させてセレーション５５，５６の噛み合いとその解除とを切り替えることができる。
【０００５】
そして、制御体５７を所定量上方に移動させるとセレーション５５，５６が噛み合うが、制御体５７をその位置において所定角度回転させるとその噛み合い状態が維持される。セレーション軸５３に同軸状に固定されたガイドピン５８には径方向外方に突出するように係合ピン５９が固定され、ガイドピン５８に外装された筒状の制御体５７には、図１６のように軸線方向に伸びる案内長孔６０とその下端部から周方向に延設された係止長孔６１とが設けられている。
【０００６】
そして、図１５（イ）の状態から、制御体５７を上方に移動させた後に所定角度回転させると、案内長孔６０に係合していた係合ピン５９が案内長孔６０の下端部から係止長孔６１へと移動して図１５（ロ）の状態となる。このように、係合ピン５９が制御体５７の係止長孔６１に係合することによって制御体５７の下方への移動が阻止され、セレーション５５，５６の噛み合い状態が維持される。
【０００７】
【発明が解決しようとする課題】
しかるに、上記構成の場合、制御体５７に長孔６０，６１を形成することが必要であるため、製造が必ずしも簡易ではない。
【０００８】
更に、係合ピン５９が制御体５７の長孔６０，６１に係合している状態を外部から直接目視することは不可能であり、作業者は係合ピン５９が現在係止長孔６１のどの場所に位置しているのかを把握することができない。そのため、制御体５７を予定していた角度まで回転させたかどうかの判断を視覚的に行うことは容易ではない。例えば、係止長孔６１の終端部まで係合ピン５９が到達したことをもって制御体５７の回転操作の作業が完了するとしている場合、係合ピン５９を外部から目視できないために、その作業が完了したか否かを外部から視認することが困難である。そのため、制御体５７をしっかりと最後まで回転操作しない状態のままで、ドアの開放位置の変更作業を完了するおそれも生じる。
【０００９】
それゆえに本発明は、上記従来の問題点に鑑みて、従来に比して製造が容易なドアクローザのストップ装置を提供することを第一の課題とし、ドアの開放位置の変更作業が完了したか否かの確認を容易にすることを第二の課題とする。
【００１０】
【課題を解決するための手段】
請求項１記載の発明は、上記第一の課題を解決すべくなされたものであり、該ドアクローザのストップ装置は、ドアの開閉動作に連動して相対回転する一対のドアクローザ部品の一方と一対のセレーションを介して連結されて一体となる被固定部材と、ドアの開度が所定角度に達したときに被固定部材と他方のドアクローザ部品とのそれ以上の相対回転を阻止するストッパー機構とを備えたドアクローザのストップ装置において、両ドアクローザ部品の回転軸線上に設けられて一方のドアクローザ部品と一体とされた支軸と、被固定部材を軸線方向に移動させてセレーションの噛み合いとその解除とを切り替えるべく支軸に軸線方向に移動可能に支持された手動操作可能な操作部材とを備え、支軸には径方向に突出した係合突起が設けられ、操作部材には、係合突起に対して支軸の径方向に凹凸係合可能な係合部が軸線方向両端面のうち少なくとも軸線方向一端面に開口するように設けられ、操作部材を被固定部材側に移動させてセレーションを噛み合わせると、係合突起が係合部内から軸線方向一端側に抜け出て操作部材の軸線方向一端面の外方に位置することにより操作部材は支軸に対して回転可能となり、該セレーションの噛み合い状態から操作部材を回転させると、係合突起が操作部材の軸線方向一端面に当接して操作部材の軸線方向一端側への移動を阻止することによりセレーションの噛み合い状態が維持されるよう構成されていることを特徴とする。
【００１１】
また、請求項２記載の発明は上記第一の課題に加えて更に第二の課題をも解決すべくなされたものであり、請求項１記載のストップ装置において、セレーションの噛み合い状態を維持すべく操作部材を所定の位置まで回転操作する際に、係合突起が外部から目視可能であることを特徴とする。
【００１２】
【発明の実施の形態】
以下、本発明のストップ装置の一実施形態について図面を参酌しつつ説明する。
図１には本発明に係るストップ装置が組み込まれたドアクローザが、使用状態として示されている。ドアクローザは、ドアＤの枠体の上枠Ｗに下方から取り付けられるブラケット１と、ドアＤに取り付けられるドアクローザ本体２と、ブラケット１とドアクローザ本体２とを連結するためのリンク３及びアーム４とを備えている。ブラケット１とリンク３とは枢着部Ａにて回転可能に連結され、リンク３とアーム４とは枢着部Ｂにて回転可能に連結され、アーム４とドアクローザ本体２とは枢着部Ｃにて回転可能に連結されている。そして、ドアＤが開かれるとドアクローザ本体２に内蔵された図示しないバネが圧縮され、そのバネの復元力によってドアＤの閉じ動作を行う。尚、ブラケット１とリンク３、リンク３とアーム４、及び、アーム４とドアクローザ本体２は、ドアＤの開閉動作に連動して相対回転する一対のドアクローザ部品に相当する。
【００１３】
ドアをある一定の開放位置に保持するためにストップ装置が設けられ、本実施形態においては、ブラケット１とリンク３との連結部分（枢着部Ａ）に設けられている。以下、図２乃至図５を参酌してストップ装置を説明する。
【００１４】
ストップ装置は、図２に示すように、被固定部材としてのカム板５と、ドアの開度が所定角度に達したときにカム板５とリンク３とのそれ以上の相対回転を阻止するストッパー機構とを備えている。
【００１５】
ブラケット１にはブラケット１から下方に伸びるようにしてセレーション軸６が取付固定されている。該セレーション軸６は全体として円筒状に形成されてその上端部においてブラケット１に固着され、ブラケット１とリンク３との回転軸線上に配置される。該セレーション軸６の内周面には雌ねじ部が形成されており、該セレーション軸６を上下方向（軸線方向）に貫通するように、雄ねじ部を有するガイド軸７（支軸）が螺着され、ブラケット１の上方において抜け止め部材８によってセレーション軸６からのガイド軸７の抜けが防止されている。従って、ブラケット１とセレーション軸６とガイド軸７が一体とされた構成であり、セレーション軸６とガイド軸７は回転軸線と同軸状に配置されている。
【００１６】
セレーション軸６は上下方向略中央の段部を介して上側の大径部６ａと下側の小径部６ｂとに区画され、大径部６ａ下面に径方向に延びた歯部が放射線状に形成されたセレーション９（面セレーション）を備えている。該セレーション軸６の小径部６ｂにカム板５が回転可能に外装され、そのカム板５の上面にセレーション１０が形成されており、これらのセレーション９，１０同士が噛み合うことにより、カム板５は、セレーション軸６に軸線方向に連結してセレーション軸６を介してブラケット１と一体となる。
【００１７】
また、カム板５の下方には円筒状のカム押さえ１１がセレーション軸６の小径部６ｂをガイドとして上下に移動可能に配備されており、その上端面はカム板５の下面に当接可能である。
【００１８】
更に、前記ガイド軸７はセレーション軸６から下方に突出しており、その突出した部分に、カム押さえ１１を介してカム板５を上下に移動させてセレーション９，１０の噛み合いとその解除とを切り替えるための手動操作可能なダイヤル１２（操作部材）が、上下に移動可能に同軸状に外装されている。カム押さえ１１の下方に位置しているダイヤル１２は、Ｃリング１３によってガイド軸７の下端部からの抜け落ちが防止される。尚、Ｃリングに代えて、ガイド軸７の下端部にカシメ等によって突部を形成し、その突部によってダイヤル１２の抜け落ちを防止するようにしてもよい。この突部は、組み立て前に形成しておいても、組み立て後に形成してもよい。
また、本実施形態においては、ダイヤル１２とカム押さえ１１との間に弾性部材としての皿バネ１４が介装されており、セレーション９，１０の噛み合い状態において、皿バネ１４の弾性力によって、カム板５を上方に、即ち、セレーション９，１０の噛み合い側に付勢すると共に、ダイヤル１２を下方に、即ち、カム板５とは反対側に付勢する。換言すれば、皿バネ１４はカム板５とダイヤル１２とを両者が軸線方向に離間するように付勢する。
【００１９】
一方、リンク３の先端部は水平方向のスリットを形成するように上下に二股状に分岐し、二股上部３ａ、二股下部３ｂともに回転軸線を中心とした貫通孔が形成され、二股上部３ａ、二股下部３ｂの間に前記カム板５が介装されている。そして、セレーション軸６の大径部６ａと二股上部３ａとの間には筒状の上ブッシュ１５が介装され、カム押さえ１１と二股下部３ｂとの間には筒状の下ブッシュ１６が介装されている。従って、リンク３は、上下両ブッシュ１５，１６を介してブラケット１に対して相対回転可能に構成されている。尚、上ブッシュ１５と下ブッシュ１６とは摺動性の良い材質から構成してもよく、例えば合成樹脂から構成することができる。
【００２０】
また、リンク３には、鋼球１７とコイルバネ１８が内蔵されており、コイルバネ１８の弾性力を利用してカム板５の外周面に鋼球１７を常時押し付けている。カム板５の外周面には、所定位置に切欠部５ａが形成されており、ドアが所定の開度に達したときに切欠部５ａに鋼球１７が嵌り込み、これによってカム板５とリンク３とが一体化してカム板５とリンク３とのそれ以上の相対回転が不能となってドアがその開放位置に保持される。カム板５の切欠部５ａ、鋼球１７、及びコイルバネ１８からストッパ機構が構成されている。
【００２１】
ところで、前記ガイド軸７には該ガイド軸７に直交して円柱状の係合ピン１９が回転軸線を通るように固定されている。該係合ピン１９はガイド軸７を貫通していてその両端部は共にガイド軸７から径方向外方に突出している。本実施形態において、ガイド軸７から突出した係合ピン１９の突出部分が係合突起に相当する。
【００２２】
一方、前記ダイヤル１２はその中心に貫通孔２０を有し、その貫通孔２０にガイド軸７が挿通されてダイヤル１２を上下に貫通している。尚、ダイヤル１２の下端面２１（軸線方向一端面）には貫通孔２０と同軸状の筒状部２２が下方に向けて延設されている。また、筒状部２２の外側には、その外周面から径方向外方に伸びるリブ状の縦壁部２３が、１８０度対向して一対形成されている。該縦壁部２３はダイヤル１２の周縁部にまで達しており、後述するようにダイヤル１２を回転操作する際に、両縦壁部２３に指を引っかけることにより容易に回転操作することができる。また、両縦壁部２３を目視確認することでダイヤル１２の他の構成部品に対する周方向の相対角度位置を識別することも可能となり、この点において縦壁部２３はダイヤル１２の識別部として機能する。
【００２３】
また、前記貫通孔２０の壁面には、軸線方向に伸びる係合溝２４（係合部）が１８０度対向して一対設けられている。該係合溝２４は直線状に形成されてダイヤル１２を上下に貫通し、ダイヤル１２の軸線方向両端面２５，２１にそれぞれ開口している。該係合溝２４と前記係合ピン１９とは径方向に凹凸係合するように形成されている。ダイヤル１２はガイド軸７に上下に移動可能に支持されており、従って、ダイヤル１２の上下の移動によって係合ピン１９は係合溝２４内を相対的に上下に移動するが、係合ピン１９が係合溝２４に係合している間は、ダイヤル１２はガイド軸７に対して相対回転不能である。そして、ダイヤル１２が上方に移動して係合溝２４と係合ピン１９との係合状態が解除されると、ダイヤル１２はガイド軸７を支点として回転軸線まわりに回転可能となる。以下更に詳細に説明する。
【００２４】
図２及び図３は、セレーションの噛み合いを解除した状態を示している。この状態においては、セレーション軸６からカム板５が下方に離反し、皿バネ１４も圧縮状態にはなく、カム押さえ１１及びダイヤル１２はセレーション軸６又はガイド軸７に対して下方に移動した状態にある。この状態でセレーション９，１０同士の噛み合い位置を周方向に変更することにより、ドアの開放位置を変更することができる。
【００２５】
かかるセレーション９，１０の噛み合い解除の状態において、係合ピン１９は係合溝２４に係合しており、従ってダイヤル１２は回転不能である。但し、セレーション９，１０の噛み合い解除の状態において、ダイヤル１２が図２の状態よりも更に下方に位置して係合ピン１９が係合溝２４から相対的に上方に抜け出た状態として、ダイヤル１２がガイド軸７まわりに回転可能な状態としてもよい。
【００２６】
図２及び図３の状態からリンク３を回転軸線まわりに相対的に回転させることによって噛み合い位置を変更した後、ダイヤル１２を上方に移動させる。ダイヤル１２を掴んで上方に移動操作すると、皿バネ１４、カム押さえ１１を介してカム板５が上方に押圧されて移動してセレーション９，１０同士が噛み合ってカム板５とブラケット１とはセレーション軸６を介して連結される。ダイヤル１２を所定量上方に移動させてセレーションが噛み合い状態になると、図４のように皿バネ１４は圧縮状態となり、その弾性力が軸線方向に作用する。即ち、皿バネ１４の弾性力によって、カム板５は上方に押圧、付勢される一方、ダイヤル１２は下方に押圧、付勢される。また、セレーション９，１０が噛み合い状態になると、係合ピン１９と係合溝２４との係合状態が解除される。即ち、係合ピン１９は係合溝２４から下方に抜け出て、ダイヤル１２の下端面２１の下方に位置する。係合ピン１９と係合溝２４との係合状態が解除されるため、ダイヤル１２はその高さにおいてガイド軸７まわりに回転可能となる。但し、本実施形態では、後述するストッパ部２６により、ダイヤル１２は一方向にのみ、具体的にはダイヤル１２を下方から見て時計回りにのみ回転操作できる。
【００２７】
ダイヤル１２を時計回りに回転させると、係合ピン１９がダイヤル１２の下端面２１に当接する。従って、ダイヤル１２はその高さから下方には移動できなくなり、ダイヤル１２の下方への移動が阻止されるためセレーション９，１０の噛み合い状態が維持される。このようにダイヤル１２はセレーション９，１０の噛み合いとその解除とを切り替えるための切り替え機能のみならず、セレーション９，１０の噛み合い状態を維持するロック機能をも有している。
【００２８】
より詳細には、図５のように、貫通孔２０の開口縁部たるダイヤル１２の下端面２１には、下方に突出したストッパ部２６が１８０度対向した位置に一対形成されており、図４（ロ）の如く、係合ピン１９の両端部がそれぞれストッパ部２６に当接する手前の位置までダイヤル１２を時計回りに回転させることができる。即ち、ストッパ部２６はダイヤル１２の過度の回転操作を防止する構成となっている。本実施形態ではダイヤル１２を９０度回転させた位置がダイヤル１２の回転操作完了位置であり、９０度回転させる間、係合ピン１９はダイヤル１２の下端面２１と摺動する。尚、下端面２１は大部分が平坦面であるが、係合溝２４の開口との境界部分２７はテーパ状に形成されており、これによって、ダイヤル１２の回転操作をスムーズに開始することができる。図２、図４（ロ）及び図５（イ）において、テーパ状の境界部分２７には説明のためにハッチングを施している。
【００２９】
また、係合ピン１９はその外面が円弧状であるため、ダイヤル１２の下端面２１とは線接触してその接触面積は極めて小さく、従って摺動抵抗が少ない状態で操作できる。また、ダイヤル１２を回転操作完了位置まで回転操作したことをもってドアの開放位置の変更作業が完了したことになる。尚、皿バネ１４の弾性力によってダイヤル１２が下方に付勢されているため、ダイヤル１２の下端面２１に係合ピン１９が強く押圧され、従って、ダイヤル１２が自然に反時計回りに回転することが防止される。
【００３０】
このようにダイヤル１２の下端面２１に係合ピン１９が当接することによってダイヤル１２の下方への戻り動作を阻止してセレーション９，１０の噛み合い状態をロックする構成なるため、従来の係合長孔を形成した構成に比して製造が容易となる。即ち、ダイヤル１２は下端面２１より下方側が開放した形状であるため、ダイヤル１２自体を製造することが容易である。従来の係合長孔の構成ではそれを加工するための工程が必要であるが、本実施形態のダイヤル１２ではその必要がなく、機械加工の場合のみならず成形の場合でも製造が容易である。しかも、係合ピン１９のガイド軸７からの突出部分全体を支える構造ゆえに、強度面でも格段に優位となる。
【００３１】
更に、係合ピン１９がダイヤル１２の端面に当接する構成であって係合ピン１９を下方から目視確認できるため、ダイヤル１２が現在どの角度位置にあるのかを視覚的に把握することができる。即ち、係合ピン１９を下方から見ることによって係合ピン１９とダイヤル１２の相対的な角度位置を容易に把握することができる。従って、係合ピン１９が例えば回転操作完了位置に到達していることを、視覚的に把握することができ、しかも、作業完了後においても、容易に目視確認することができる。そのため、仮に回転操作完了位置の手前でダイヤル１２の回転操作が終えられていたとしても、係合ピン１９を見ることでその状態を容易に視認できて修正できるという利点があり、ドアの開放位置の変更作業が正常に完了したか否かの確認が容易となる。
【００３２】
尚、本実施形態では回転操作開始位置から回転操作終了位置まで何れの位置においても常に係合ピン１９を目視できるため、ダイヤル１２の回転状態を詳細に把握することができるが、例えば回転操作完了位置のみ係合ピン１９を目視できる構成や、逆に回転操作完了位置以外では係合ピン１９を目視できるが回転操作完了位置では目視できない構成等、種々の構成を採用できる。何れにしても、セレーション９，１０の噛み合い状態を維持すべくダイヤル１２を所定の位置まで回転操作する際に、係合ピン１９が目視可能であれば、ダイヤル１２を所定の位置まで回転操作したか否かを容易に判別することができる。尚、係合ピン１９を着色すればより一層視認性が高まる。
【００３３】
また、ダイヤル１２に縦壁部２３を識別部として設けているため、この縦壁部２３と係合ピン１９との相対角度位置からダイヤル１２の位置を容易に把握することができる。図３のように縦壁部２３と係合ピン１９とが略一直線となると、セレーション９，１０が噛み合っていない噛み合い解除の状態、若しくは、ダイヤル１２が上方位置にあってセレーション９，１０は噛み合っているもののその噛み合い状態は維持されていない状態の何れかである。即ち、ドアの開放位置の変更作業が完了していないことがわかる。また、図４（ロ）のように、縦壁部２３と係合ピン１９とが略直交する状態では、セレーション９，１０の噛み合い状態が維持されている。即ち、ドアの開放位置の変更作業が完了していることがわかる。
【００３４】
尚、図２乃至図４に示した構成ではセレーションとして面セレーションを採用していたが、軸線方向に伸びた歯部が並設された縦セレーションを採用してもよい。図６には、縦セレーションを採用した構成の一例が示されており、セレーション軸６の外周面とカム板５の内周面にそれぞれ縦セレーション３０，３１が設けられている。尚、この形態においては、皿バネ１４が省略されている。このように、皿バネ１４等の弾性部材を設けない構成とすることもできる。
【００３５】
また、皿バネ１４等の弾性部材を別途設ける構成以外に、ダイヤル１２自体に弾性変形可能な弾性部を設けてもよい。図７乃至図９に示す構成は、ダイヤル１２に軸線方向に弾性変形可能な弾性部として扇状の弾性片３３が設けられているものである。
【００３６】
具体的には、係合溝２４と連通しその底部から回転操作完了位置まで略９０度に亘って、筒状部２２の内側位置において周方向に伸びるスリット３２が形成されている。従って、貫通孔２０とスリット３２とに挟まれた、係合溝２４の開口から回転操作完了位置に至る略９０度の扇状の弾性片３３は、回転操作完了位置側を固定端とし係合溝２４の開口側を自由端とする片持ち梁構造となる。
【００３７】
その扇状の弾性片３３の下面、即ちダイヤル１２の下端面２１に係合ピン１９が当接すると、図９（ハ）のように、扇状の弾性片３３は回転操作完了位置を支点としてその先端側が上方に向けて（図では下側に）弾性変形する。この弾性力は係合ピン１９に下向きの力として作用し、係合ピン１９は固定であるためダイヤル１２はその反作用により上方に付勢される。そして、係合ピン１９が回転操作完了位置に到達すると、図９（ロ）のように扇状の弾性片３３は元の水平状態に復帰する。このように、回転操作完了位置に至るまでの過程でダイヤル１２が扇状の弾性片３３の弾性力により付勢され、回転操作完了位置では付勢されない若しくは付勢力が小さくなるために、作業者は手の感覚を介してダイヤル１２が回転操作完了位置に至ったことを把握できる。即ち、ダイヤル１２の回転操作にいわゆるクリック感を付与することができるのである。しかも、回転操作完了位置からダイヤル１２が逆方向に回転しようとすると扇状の弾性片３３が弾性変形してダイヤル１２に軸線方向の力を付与するため、ダイヤル１２の逆回転が防止される。
【００３８】
また、クリック感を付与するために、この構成では、回転操作完了位置に係合ピン１９が部分的に嵌り込む凹部３４が係止部として形成されている。係合ピン１９の外周面がダイヤル１２の下端面２１に形成された径方向に伸びる凹部３４に嵌り込むことで手にクリック感が伝わる。尚、回転操作完了位置においても扇状の弾性片３３がダイヤル１２を上下方向に付勢するように構成してもよい。その場合、カム板５が上方に付勢されるためセレーションの噛み合い状態がより一層確実となる。尚、図７及び図８のように、ガイド軸７とセレーション軸６とが一体的に構成されていてもよい。
【００３９】
尚、ダイヤル１２と係合ピン１９との周方向の相対位置を把握するための識別部については、ダイヤル１２の形状自体を識別部として構成する以外にも、ダイヤル１２に文字や図形、模様等からなる表示部を識別部として設けたり、着色された着色部を識別部として設けてもよい。例えば、図１０に示す構成のように、ダイヤル１２にＯＮとＯＦＦの表示部３５，３６を識別部として設けてこれらの表示部からダイヤル１２と係合ピン１９との周方向の相対位置を把握できるようにしてもよい。この場合、ＯＦＦの表示部３６からセレーション９，１０の噛み合い解除状態又は噛み合い状態が維持されていないことを、ＯＮの表示部３５からセレーション９，１０の噛み合い状態が維持されていることを、それぞれ視認できる。また、縦壁部２３を十字状に設け、各縦壁部２３の下面にＯＮ若しくはＯＦＦの表示部３５，３６を設けている。尚、ガイド軸７及び係合ピン１９には説明のためにハッチングを施している。
【００４０】
尚、図１３及び図１４のように、ダイヤル１２の筒状部２２に窓を形成して、その窓を介して係合ピン１９を目視できるようにする構成も考えられる。尚、図１３及び図１４においても、ガイド軸７と係合ピン１９にハッチングが施されている。図１３に示す構成は、筒状部２２に例えば丸形の孔３７を形成して窓とし、ダイヤル１２が回転操作完了位置に位置すると、図１３（ロ）及び（ハ）のように孔３７を介して係合ピン１９の端面（係合突起の先端）が見える。尚、係合ピン１９の端面のみを着色しておけば視認性が高まる。逆に、図１４に示す構成では、筒状部２２に周方向に伸びた孔３８を窓として形成したものであり、回転操作完了位置以外ではその孔３８から係合ピン１９の端面が目視可能であるが、回転操作完了位置では係合ピン１９の端面は見えない。何れの構成であっても、下方のみならず側方からも回転操作完了位置にあるか否かを目視確認することができるという利点がある。尚、孔３７，３８に代えて透明部分で窓を構成してもよい。
【００４１】
また、上述では、軸線方向に弾性変形する弾性部をダイヤル１２に設けた構成であったが、弾性部の弾性変形の方向は他の方向も考えられる。例えば、軸線方向と直交する方向に弾性変形する弾性部を設ける構成も考えられ、図１１及び図１２には軸線方向と直交する方向に弾性変形する弾性部としての弾性片４０を筒状部２２に設けた構成が示されている。尚、説明のため、ガイド軸７及び係合ピン１９にはハッチングを施している。この構成では、図１１（ロ）のように、筒状部２２に略コの字状のスリットを形成し、そのスリットに囲まれた部分を弾性片４０としている。この弾性片４０は周方向に沿って伸びていて、周方向の一端側を支点として径方向に弾性変形する。具体的には、ダイヤル１２を回転操作すると、図１２（イ）の如く、係合ピン１９の外周面がダイヤル１２の下端面２１と摺動しながら係合ピン１９の端部が弾性片４０の内面と摺動し、該係合ピン１９によって径方向外方に押圧されて弾性片４０は径方向外方に弾性変形する。また、弾性片４０の基端部内面には係合ピン１９の端部が嵌り込む凹部４１が形成されており、回転操作完了位置にくると係合ピン１９の端部が凹部４１に嵌り込むことにより弾性片４０はほぼ弾性変形しない元の状態に戻る。従って、作業者にはクリック感が得られ、回転操作が完了したことを容易に把握できる。この場合、係合ピン１９の端部を球面状に形成することが好ましい。尚、筒状部２２に弾性片４０を弾性部として形成する場合、上述したように周方向一端側を支点として他端側が弾性変形する構成以外に、上下方向（軸線方向）一端側を支点として他端側が弾性変形する構成等、種々設計変更可能である。但し、周方向一端側を支点として弾性変形する構成とすることによりスムーズにダイヤル１２を回転できるという利点がある。
【００４２】
このように、弾性部の弾性変形の方向は種々考えられるが、ダイヤル１２に弾性変形可能な弾性部を設け、ダイヤル１２を回転操作する際に係合ピン１９が弾性部に当接することによって弾性部が弾性変形して弾性部の弾性力がダイヤル１２に作用し且つ、回転操作完了位置に至るとこの弾性力が作用しないあるいは減少することにより、作業者にはクリック感が得られて作業の完了を手の感触から容易に把握することができる。また、係合ピン１９が当接する部分を弾性部とし、ダイヤル１２を回転させた際に係合ピン１９が当接することによって弾性部が弾性変形する構成を説明したが、係合ピン１９ではなく他の構成部品に当接する部分を弾性部としてもよい。
【００４３】
尚、以上の説明では筒状部２２の下方が開口状態にあったが、別途の部材で筒状部２２の下方を閉塞して係合ピン１９が外部から目視不能とすることも可能である。また別途の部材を設ける場合、その部材を透明や半透明として係合ピン１９を目視可能に構成することもできる。このように別途の部材を設けた場合であっても、係合ピン１９がダイヤル１２の端面に当接する構成としたことによりダイヤル１２自体の製造が容易となり、ひいてはストップ装置の製造は容易となる。
【００４４】
更に、ダイヤル１２にストッパ部２６を設けてダイヤル１２の所定角度以上の回転操作を防止する構成としているが、このストッパ部２６の形状等についても変更可能である。また、ストッパ部２６を設けない構成としてもよく、例えば、回転操作完了位置から更に同じ方向に９０度回転させると係合ピン１９が他方の係合溝２４の開口に位置してセレーションの噛み合いを解除できるようにしてもよい。この場合、上述したような凹部３４，４１を設けることが好ましい。更に、回転操作完了位置までの角度についても９０度に限定されず、他の角度としても無論よい。
【００４５】
また、係合突起として係合ピン１９を使用しているが、ガイド軸７に一体的に係合突起を形成した構成としてもよい。更に、係合突起も複数設けることに限定されず、一カ所のみであってもよい。係合突起の断面形状についても円形に限られず、種々の形状のものが採用可能である。同様に、係合部として係合溝２４を設けた構成について説明したが、係合部は溝状に限られず種々の形状を採用できる。
【００４６】
更に、ダイヤル１２の構成についても、例えば筒状部２２を有しないもの、平面視矩形のもの等、種々変更可能である。また、係合部も下端面２１にのみに開口する構成としてもよい。
【００４７】
また、ダイヤル１２をカム板５の下方に位置させた構成について説明したが、逆に上方に位置させた構成、即ち、上述した構成とは上下逆の構成であっても無論よい。その他、上述した他の枢着部（枢着部Ｂや枢着部Ｃ）にストッパ装置を設けることもできる。また、ストッパ機構の構成についても適宜設計変更可能である。
【００４８】
【発明の効果】
以上のように、操作部材の戻りを阻止してセレーションの噛み合い状態を維持するために係合突起が操作部材の軸線方向一端面に当接する構成を採用したため、操作部材、ひいてはストップ装置の製造が従来に比して容易となる。
【００４９】
また、係合突起が外部から目視可能とすることにより、ドアの開放位置の変更作業が完了したか否かを係合突起を目視することによって容易に確認することができる。
【図面の簡単な説明】
【図１】本発明のストップ装置が組み込まれたドアクローザの全体構成を示す斜視図。
【図２】本発明の一実施形態におけるストップ装置を示す断面図。
【図３】同装置を下方から見た図。
【図４】同装置においてセレーションの噛み合い状態が維持された状態を示し、（イ）は図２に対応した断面図、（ロ）はダイヤル部分を下方から見た図３に対応した図。
【図５】同装置に使用されているダイヤルを示し、（イ）は正面図、（ロ）は（イ）のＰ−Ｐ断面図。
【図６】他の実施形態におけるストップ装置を示し、（イ）は図２に対応した断面図、（ロ）は図４（イ）に対応した断面図。
【図７】他の実施形態におけるストップ装置を示し、（イ）は図２に対応した断面図、（ロ）は図３に対応した図。
【図８】同装置の図４に対応した図。
【図９】同装置に使用されるダイヤルを示し、（イ）は正面図、（ロ）は（イ）のＱ−Ｑ断面図であってダイヤルが回転操作完了位置にある図、（ハ）はダイヤルが回転操作中にある断面図。
【図１０】他の実施形態におけるストップ装置を示し、（イ）は図３に対応した図、（ロ）は図４（ロ）に対応した図。
【図１１】他の実施形態におけるストップ装置の要部を示す図であって、（イ）はセレーションが噛み合い解除状態にある下方から見た図、（ロ）は側面図。
【図１２】同装置を示す図１１（イ）に対応した図であって、（イ）はダイヤルの回転操作中にある状態を示し、（ロ）はダイヤルが回転操作完了位置にある状態を示す。
【図１３】他の実施形態におけるストップ装置を示し、（イ）はセレーションの噛み合い解除状態若しくはセレーションは噛み合っているがその状態が維持されていない状態を示す下方から見た図、（ロ）はセレーションの噛み合い状態が維持されている状態を示す下方から見た図、（ハ）は（ロ）の側面図。
【図１４】他の実施形態におけるストップ装置を示し、（イ）はセレーションの噛み合い解除状態若しくはセレーションは噛み合っているがその状態が維持されていない状態を示す下方から見た図、（ロ）はセレーションの噛み合い状態が維持されている状態を示す下方から見た図、（ハ）は（ロ）のＲ矢視図。
【図１５】従来のストップ装置を示す断面図であり、（イ）はセレーションの噛み合い解除状態を示し、（ロ）はセレーションの噛み合い状態が維持されている状態を示す。
【図１６】同装置に使用されている制御体を示す側面図。
【符号の説明】
１…ブラケット（ドアクローザ部品）、３…リンク（ドアクローザ部品）、５…カム板（被固定部材）、５ａ…切欠部（ストッパ機構）、７…ガイド軸（支軸）、９，１０，３０，３１…セレーション、１２…ダイヤル（操作部材）、１７…鋼球（ストッパ機構）、１８…コイルバネ（ストッパ機構）、１９…係合ピン（係合突起）、２４…係合溝（係合部）
【図１】
0003983046.tif 000002
【図２】
0003983046.tif 000003
【図３】
0003983046.tif 000004
【図４】
0003983046.tif 000005
【図５】
0003983046.tif 000006
【図６】
0003983046.tif 000007
【図７】
0003983046.tif 000008
【図８】
0003983046.tif 000009
【図９】
0003983046.tif 000010
【図１０】
0003983046.tif 000011
【図１１】
0003983046.tif 000012
【図１２】
0003983046.tif 000013
【図１３】
0003983046.tif 000014
【図１４】
0003983046.tif 000015
【図１５】
0003983046.tif 000016
【図１６】
0003983046.tif 000017